(57)【要約】  キー付きノブのための錠組立体は、挿入体と、シリンダ組立体と、リテーナとを含む。リテーナが取り付けられた後で、挿入体がノブに挿入される。挿入体は、ノブの後方から挿入されて、取り付けられる。次いで、リテーナがシリンダ組立体に係合して、シリンダ組立体を挿入体に固定するようになるまで、シリンダ組立体が挿入体の正面に挿入される。シリンダ組立体は、ノブの後方から挿入された工具を用いて、リテーナのステップ部分を押し付けることにより、容易に除去される。
2007536449.tif 000002
【特許請求の範囲】
【請求項１】
軸線を定める挿入体と、
前記軸線に沿って前記挿入体内に受けることができるシリンダ組立体と、
前記軸線とほぼ平行なばね把持部を含むリテーナと、
を含み、前記リテーナが前記挿入体と係合可能であり、前記ばね把持部が前記シリンダ組立体に係合して、前記シリンダ組立体を前記挿入体内に保持するようになったことを特徴とする錠組立体。
【請求項２】
前記シリンダ組立体から延びるフランジをさらに含み、前記フランジが、少なくとも部分的に、ノブの正面の陥凹面に隣接して受けられるようになったことを特徴とする請求項１に記載の錠組立体。
【請求項３】
前記挿入体が、前記挿入体の周囲の周りの第１溝と、前記第１溝を横断する第２溝と、前記第２溝を通る開口部とを含むことを特徴とする請求項１に記載の錠組立体。
【請求項４】
前記第２溝が、前記軸とほぼ平行であることを特徴とする請求項３に記載の錠組立体。
【請求項５】
前記ばね把持部が、少なくとも部分的に前記第２溝の中に受けられるようになったことを特徴とする請求項３に記載の錠組立体。
【請求項６】
前記ばね把持部が、少なくとも部分的に前記開口部を通って延びて、前記シリンダ組立体に係合するようになったタブを含むことを特徴とする請求項３に記載の錠組立体。
【請求項７】
前記タブが、前記ばね把持部から垂直に延びる第１タブと第２タブとを含むことを特徴とする請求項６に記載の錠組立体。
【請求項８】
前記第１タブと前記第２タブと前記ばね把持部が、前記ばね把持部とほぼＵ字形状を形成することを特徴とする請求項７に記載の錠組立体。
【請求項９】
前記リテーナが、前記ばね把持部から延びる第１弧状脚部と第２弧状脚部とを含むことを特徴とする請求項１に記載の錠組立体。
【請求項１０】
前記第１弧状脚部及び前記第２弧状脚部が、少なくとも部分的に前記挿入体の周りに延びるようになったことを特徴とする請求項９に記載の錠組立体。
【請求項１１】
前記ばね把持部が、前記第１弧状脚部及び前記第２弧状脚部の反対側に、前記ばねから垂直に延びるタブを含むことを特徴とする請求項９に記載の錠組立体。
【請求項１２】
前記ばね把持部が、前記タブと前記第１弧状脚部及び前記第２弧状脚部とを仲介するステップ部分を含むことを特徴とする請求項１１に記載の錠組立体。
【請求項１３】
前記ステップ部分が前記タブの方向に延びるようになったことを特徴とする請求項１２に記載の錠組立体。
【請求項１４】
ノブと、
軸線を定め、前記ノブの中に受けることができる挿入体と、
前記軸線に沿って前記挿入体の中に受けることができるシリンダ組立体と、
前記軸線とほぼ平行なばね把持部を含むリテーナと、
を含み、前記リテーナが前記挿入体と係合可能であり、前記ばね把持部が前記シリンダ組立体に係合して、前記シリンダ組立体を前記挿入体内に保持するようになったことを特徴とする前面取り付け式錠組立体。
【請求項１５】
前記挿入体を、前記ノブの後方面を通して、前記ノブにおけるボアの中に受けることができるようになったことを特徴とする請求項１４に記載の前面取り付け式錠組立体。
【請求項１６】
前記挿入体が前記ノブに杭により固定されたことを特徴とする請求項１５に記載の前面取り付け式錠組立体。
【請求項１７】
前記シリンダ組立体を、前記ノブの正面を通して受けることができるようになったことを特徴とする請求項１４に記載の前面取り付け式錠組立体。
【請求項１８】
前記リテーナが、前記ばね把持部から延びる第１弧状脚部と第２弧状脚部とを含むことを特徴とする請求項１４に記載の前面取り付け式錠組立体。
【請求項１９】
前記第１弧状脚部及び前記第２弧状脚部が、少なくとも部分的に前記挿入体の周りに延びるようになったことを特徴とする請求項１８に記載の前面取り付け式錠組立体。
【請求項２０】
前記ばね把持部が、前記第１弧状脚部及び前記第２弧状脚部の反対側に、前記ばね把持部から垂直に延びるタブを含むことを特徴とする請求項１８に記載の前面取り付け式錠組立体。
【請求項２１】
前記ばね把持部が、前記タブと前記第１弧状脚部及び前記第２弧状脚部とを仲介するステップ部分を含むことを特徴とする請求項２０に記載の前面取り付け式錠組立体。
【請求項２２】
シリンダ組立体を錠組立体のノブ内に取り付ける方法であって、
（１）挿入体をノブの後方から挿入するステップと、
（２）シリンダ組立体を、前記ノブの正面から軸線に沿って前記挿入体の中に挿入するステップと、
（３）前記挿入体に係合されたリテーナのばね把持部を、前記シリンダ組立体におけるリテーナ溝に係合させて、前記シリンダ組立体を前記挿入体内に固定するステップと、
を含むことを特徴とする方法。
【請求項２３】
前記ステップ（１）が、前記挿入体を前記ノブの中に杭により固定するステップを含むことを特徴とする請求項２２に記載の方法。
【請求項２４】
前記ステップ（３）が、前記ステップ（２）の間に生じることを特徴とする請求項１７に記載の方法。
【発明の詳細な説明】
【技術分野】
【０００１】
本発明は、錠組立体に関し、より具体的には、錠ハウジング内へのコア組立体のための取り付け構成に関する。
【背景技術】
【０００２】
非常に多くのタイプの従来の鍵組立体が、様々な用途のために用いられている。住宅及び商業施設は、主として、鍵作動式ピンタンブラー錠によって保護される。典型的な錠においては、コア組立体が、長手方向に延びる鍵穴を有する円筒型回転プラグを収容する。カムのような駆動部材が、プラグの後面に連結される。駆動部材は、ボルト連結機構又はラッチ移動機構を作動させる。
【０００３】
プラグとコアとの間の境界面は、シヤーラインと呼ばれる。半径方向に延びる複数の平行なチャンバが、コア及びプラグ内に形成される。ばね付勢されたピンが、各チャンバ内に配置される。通常の状態で、駆動装置は、シヤーラインをブロックし、プラグがコアに対して回転するのを防止する。しかしながら、適切に構成された鍵が鍵穴に挿入されたとき、駆動装置及び下部ピンが移動され、該下部ピンの上部と該駆動装置の下部が、シヤーラインで接触する。次に、プラグを回転させて、駆動部材を回転させ、続いてボルト又はラッチを後退又は拡張させることができる。
【０００４】
鍵屋は、住宅用錠又は商業用錠を付け替える又は置き換えることが多い。このため、交換可能なシリンダ組立体が、種々の錠製造者によって製造されている。不利なことに、交換可能なシリンダ組立体は、比較的複雑なものである。一般に、交換可能なシリンダ組立体は、単一の製造者からのものであっても、特定の錠タイプに特有のものであり、特有の取り付け構造体を含んでいる。例えば、ノブ式錠組立体、レバー式錠組立体、及びデッドボルト式錠組立体の各々は、それぞれノブ、レバー、及びデッドボルトに特有のコア組立体を使用する。こうした構成は、住宅用錠及び商業用錠の付け替え及び置き換えを複雑にしている。
【０００５】
したがって、容易に多数の錠タイプに取り付けられる、シリンダ組立体のための複雑でない取り付け構成を提供することが望ましい。
【発明の開示】
【０００６】
本発明によるキー付きノブのための錠組立体は、挿入体と、シリンダ組立体と、リテーナとを含む。リテーナは、挿入体の上に嵌まり、第１弧状脚部と、第２弧状脚部と、ここから垂直に延びるばね把持部とを含む。一対のタブがばね把持部からほぼ垂直に延びる。ばね把持部は、さらに、タブと弧状脚部とを仲介するステップ部分を含む。
【０００７】
リテーナが取り付けられた後で、挿入体がノブに挿入される。挿入体は、ノブの後方から挿入されて、取り付けられる。シリンダ組立体が、次いで、ノブの正面から挿入体に挿入される。シリンダ組立体が挿入体のボアに押し込まれるとき、シリンダ組立体をボアに導く拡張部分は、タブがシリンダ組立体上のリテーナ溝に係合するまでタブを超えて押し込まれて、シリンダ組立体を挿入体に固定する。
したがって、本発明は、多数の錠タイプに容易に取り付けられる、シリンダのための複雑でない取り付け構成を提供するものである。
【発明を実施するための最良の形態】
【０００８】
当業者には、本発明の種々の特徴及び利点が、現在好ましい実施形態の以下の詳細な説明から明らかになるであろう。詳細な説明に伴う図面を下記のように簡単に説明することができる。
【０００９】
図１は、錠組立体１０の一般的な分解斜視図を示す。錠組立体は、一般に、挿入体１２と、シリンダ組立体１４と、リテーナ１６とを含む。挿入体１２及びシリンダ組立体１４はノブ１８内に受けられて、キー付きノブ組立体を形成する。示される実施形態において特定の部品構成が開示されるが、他の構成も本発明の利益を享受することを理解すべきである。
挿入体１２は、シリンダ組立体１４を支持し、保護する。挿入体１２は、ノブ１８といった錠タイプの中に受けることができ、多数の杭２０（図３にも示す）により、固定されることが好ましい。開示される実施形態においては、ノブ組立体が示されているが、レバー又はノブといった他の錠組立体のための他のハウジングも本発明の利益を享受することを理解すべきである。
【００１０】
ノブ１８は、単一部品として製造されることが好ましい。ノブ１８は、前面２２及び後方セグメント２４を含む。ノブ１８は、一般に、中空であり、後方セグメント２４は、ドアその他同様なものに取り付けられた錠構造内に受けられるように円筒形であることが好ましい。「前方」、「後部」、「上部」、「下部」、「上方」、「下方」等のような相対的位置の用語は、通常の作動姿勢に関するものであり、他の方法で制限するものと考えるべきではない。
長手方向に延びるボア２６は、ノブ１８を貫通して開口し、軸線Ａを定める。周方向陥凹面２８が前面２２内に配置され、ボア２６の周囲の周りに延びる。
シリンダ組立体１４は、バレル３０及び回転可能な錠シリンダ３２を含む。鍵の挿入を可能にするために、鍵穴３４が錠シリンダ３２の前面３３に定められ、錠シリンダ３２を回転させ、錠を作動させ得るようにする。作動部材３５（図３）が、錠シリンダ３２の後方部分３８内から延びて、ラッチ・ボルト（図示せず）を通って延びる作動プレート（図示せず）に係合するが、これは従来のものであり、ここで詳細に説明する必要はない。ピンの構成に対する鍵の作動は、様々な従来の形態を取ることができ、ここで詳細に説明する必要はない。
【００１１】
シリンダ組立体の拡張部分３６が、シリンダ組立体１４から延びる。拡張部分３６は、シリンダ組立体１４の長手方向長さに沿ってレール構造を形成するように、１つ又はそれ以上の部分に形成できることが好ましい。様々な拡張部分の形状及び構成が、本発明の利益を享受することを理解すべきである。
周方向フランジ４０がバレル３０の周囲の周りに延びる。フランジ４０は、陥凹面２８内に受けられ、シリンダ組立体１４の挿入体１２内への軸方向の挿入深さを制御する（図３）。
挿入体１２は、一般に、前方部分４２と後方部分４４とを含む円筒形部材である。長手方向に延びるボア４６は、軸線Ａに沿って前方部分４２及び後方部分４４を貫通して開口している。細長い開放端溝４８が、軸線Ａとほぼ平行なボア４６内に形成される。溝４８は、前方部分４２を貫通して開口している。付加的な溝を形成して挿入体１２の多機能性を増加させることができることが理解されるべきである（図１には４つ示す）。
拡張部分３６は、溝４８に係合するようにバレル３０の一部として形成されて、挿入体１２とシリンダ組立体１４との相対的な回転を防止するようにすることが好ましい。拡張部分３６は、さらに、シリンダ組立体１４をボア４６内に案内することを助ける。リテーナ溝３７は、拡張部分３６を通して、かつ、該拡張部分とほぼ平行に配置されることが好ましい。
多数の杭受け取り引っ込み５０は、挿入体１２の後方部分４４に配置されることが好ましい。引っ込み５０は、シリンダ組立体１４をノブ１８内に保持するための杭２０の形成を可能にする（図３）。
【００１２】
図２を参照すると、挿入体１２は、挿入体１２の外周の中に陥凹した周方向溝５２を含む。ばねクリップ溝５４は、周方向溝５２を横断して配置されており、軸線Ａとほぼ平行に方位付けられている。溝５２、５４は、挿入体１２の後方部分４４に隣接して配置される。開口部５６が、ばねクリップ溝５４の端部において、挿入体１２を通して配置される。
リテーナ１６は、第１弧状脚部５８と、第２弧状脚部６０と、ここから垂直に延びるばね把持部６２とを含む。脚部５８、６０は、溝５２内の設置位置にある場合には、軸線Ａの周りに定められる（図１）。
一対のタブ６４がばね把持部６２からほぼ垂直に延びる。タブ６４は、ばね把持部６２の遠位端に形成され、端面部においてＵ字形状を定めることが好ましい。ばね把持部６２は、さらに、タブ６４と弧状脚部５８、６０とを仲介するステップ部分６６を含む。「ステップ」という用語は対称的な構造としてのみ解釈されるものではなく、他の幾何学的形状を含むことが理解されるべきである。
【００１３】
図３を参照すると、リテーナ１６が取り付けられた後で（図１）、挿入体１２がノブ１８に挿入されている。挿入体１２は、ノブの後方から挿入されて、杭２０において、杭により固定されることが好ましい。
シリンダ組立体１４が、次いで、挿入体１２の正面に挿入される。シリンダ組立体１４は、周方向フランジ４０がノブ１８における陥凹面２８に係合するまで、ボア４６に押し込まれる。シリンダ組立体１４が軸線Ａに沿ってボア４６に押し込まれるとき、拡張部分３６はタブ６４を超えて押し込まれて、タブ６４がリテーナ溝３７に係合するまで、ばね把持部６２を撓ませる。すなわち、ばね把持部６２は、シリンダ組立体１４が十分に定置し、タブ６４がリテーナ溝３７に係合してシリンダ組立体１４を挿入体１２に固定するまで、タブ６４がセグメント化された拡張部分３６の上に渡ることを可能にするように撓む。
図４を参照すると、シリンダ組立体１４は、ノブ１８の後方を通して挿入されたスクリュードライバ又はピックルフォークといった工具Ｔを用いてステップ部分６６を押し付けることにより、容易に除去することができる。すなわち、工具Ｔは、ステップ部分６６を前方に押し込んで、タブ６４をリテーナ溝３７の外に持ち上げて、シリンダ組立体１４をノブ１８の正面から取り外すことができるようにする。分解は容易に達成されるが、ノブが設置されている場合には、シリンダ組立体１４の除去は、効率的に防止される。さらに、シリンダ組立体１４がノブの正面から挿入されるとき、シリンダ組立体１４は、以前はドアに取り付けられていたノブ１８に容易に組み立てられる。
図５を参照すると、別のリテーナ１６’が、ばね把持部６２’の遠位端に形成されて、端面図において、ほぼ箱型を定めるタブ６４’を含んでいる。
【００１４】
特定の段階の順序が示され、述べられ、特許請求されるが、これらの段階は、別の方法により示されない限り、どのような順番でも、別個でも又は組み合わせても実行することができ、本発明から依然として利益を享受することを理解すべきである。
上記の説明は、制限によって定められるものではなく、例示的なものである。上記の教示を鑑みて、多くの修正及び変形が可能である。本発明の好ましい実施形態が開示されたが、当業者であれば、特定の修正が本発明の範囲内に入ることを認識するであろう。したがって、添付の特許請求の範囲内で、本発明を具体的に説明されたもの以外の方法で実施できることを理解すべきである。よって、本発明の真の範囲及び内容を判断するために、上記の特許請求の範囲を研究すべきである。
【図面の簡単な説明】
【００１５】
【図１】本発明による錠組立体の前から見た分解図である。
【図２】シリンダ組立体の分解図である。
【図３】リテーナが係合位置にある錠組立体の断面図である。
【図４】リテーナが非係合位置にある錠組立体の断面図である。
【図５】別のリテーナの斜視図である。
【図６】図５のリテーナの端面図である。
【図１】
2007536449.tif 000003
【図２】
2007536449.tif 000004
【図３】
2007536449.tif 000005
【図４】
2007536449.tif 000006
【図５】
2007536449.tif 000007
【図６】
2007536449.tif 000008
【国際調査報告】
2007536449.tif 000009
2007536449.tif 000010